(57)【要約】【課題】  インターレースフォーマットをプログレッシブフォーマットに変換する３次元順次走査変換方法及びその装置を提供する。【解決手段】  現在フレーム及び以前フレームの特定画素のそれぞれに対して低域通過フィルタリングする過程、フィルタリングされた画素に対する差値とスレショルド値とを比較して現在フィールド内で順次走査変換する各画素及び時空間的に周辺に位置した画素のそれぞれに対する動き索引値を検出する過程、検出された前記動き索引値に基づいて動きモードを決定する過程、決定された動きモードによって空間的補間及び時間的補間を選択的に行う過程を含む。【選択図】  図６
2004215263.tif 000002
【特許請求の範囲】
【請求項１】
インターレースフォーマットをプログレッシブフォーマットに変換する順次走査変換方法において、
（ａ）現在フレーム及び以前フレームの特定画素のそれぞれに対して低域通過フィルタリングを行う過程と、
（ｂ）前記（ａ）過程でフィルタリングされた画素に対する差値とスレショルド値とを比較して現在フィールド内で順次走査変換する各画素及び時空間的に周辺に位置した画素のそれぞれに対する動き索引値を検出する過程と、
（ｃ）前記（ｂ）過程で検出された前記動き索引値に基づいて動きモードを決定する過程と、
（ｄ）前記（ｃ）過程で決定された動きモードによって空間的補間及び時間的補間を選択的に行う過程と、を含む順次走査変換方法。
【請求項２】
前記（ａ）過程は１フレームの各画素を中心として垂直／水平に特定サイズのウィンドー領域内の画素について特定フィルタ係数を乗じて平均を求める加重平均することを特徴とする請求項１に記載の順次走査変換方法。
【請求項３】
現在ＩＰＣするフィールドがｎ番目フィールドであり、ｎ番目フィールド内の（ｉ，ｊ）位置の画素をＹｎ（ｉ，ｊ）とすれば、前記（ｂ）過程は、差値がスレショルド値より大きければ、現在画素Ｙｎ（ｉ，ｊ）の動き索引値Ｍｎ（ｉ，ｊ）を１と決定し、また差値がスレショルド値より小さければ、Ｙｎ（ｉ，ｊ）の動き索引値Ｍｎ（ｉ，ｊ）を０と決定することを特徴とする請求項１に記載の順次走査変換方法。
【請求項４】
前記（ｃ）過程のＹｎ（ｉ，ｊ）の動きモード値は、
【数１】
2004215263.tif 000008
と決定され、ここでＭｎ（ｉ，ｊ）はＹｎ（ｉ，ｊ）の動き索引値であることを特徴とする請求項１に記載の順次走査変換方法。
【請求項５】
前記（ｃ）過程で現在フィールド内の各画素の動き索引値と時空間的に周辺に位置した画素の動き索引値とを全て加算した値が０であれば、Ｙｎ（ｉ，ｊ）は停止モードを有し、０でなければ、Ｙｎ（ｉ，ｊ）は動きモードを有することを特徴とする請求項１に記載の順次走査変換方法。
【請求項６】
前記（ｄ）過程は、停止モードと決定されれば、時間的補間を適用した画素値を出力し、動きモードと決定されれば、空間的補間を適用した画素値を出力するものであることを特徴とする請求項１に記載の順次走査変換方法。
【請求項７】
輝度成分の画素に対する前記動きモードを色差成分の画素に代置し、前記ピクセル値が停止モードと決定されれば、隣接した２つの画素を時間軸で補間した色差成分の画素値が出力され、動きモードと決定されれば、９０°方向の空間的に補間した色差成分の画素値が出力される過程をさらに含むことを特徴とする請求項１に記載の順次走査変換方法。
【請求項８】
インターレースフォーマットをプログレッシブフォーマットに変換する順次走査変換装置において、
現在フレーム内で各画素位置で検出されたエッジ方向によって空間的に補間する空間的補間手段と、
現在フレームと以前フレーム間の２つの画素を平均する時間的補間手段と、
現在フレームの画素と１フレーム遅延された画素に対してそれぞれ２次元低域通過フィルタリングし、そのフィルタリングされた画素間に差値を求め、その差値をスレショルド値と比較してフィールド内の画素の動き索引値を検出する動き索引値検出手段と、
前記動き索引値検出手段で検出された現在フィールドの画素及び過去フィールド及び未来フィールドの周辺画素の動き索引値に基づいて動きモードを決定し、その動きモードによって前記空間的補間手段及び前記時間的補間手段を選択する動きモード決定手段と、を含む順次走査変換装置。
【請求項９】
前記動き索引値検出手段は、
現在フレームの画素に対して２次元低域通過フィルタリングする第１ローパスフィルタと、
１フレーム遅延された画素に対して２次元低域通過フィルタリングする第２ローパスフィルタと、
前記第１ローパスフィルタで出力される画素値と前記第２ローパスフィルタで出力される画素値間に差値を求める差計算部と、
前記差計算部で計算された差値をスレショルド値と比較して該当位置の画素の動きインデックス値を決定する前記動き索引値決定部と、を含むことを特徴とする請求項８に記載の順次走査変換装置。
【請求項１０】
前記動き索引値決定部は、前記差値がスレショルド値より大きければ、該当画素の動き索引値を１と設定し、差値がスレショルド値より小さければ、該当画素の動き索引値を０と設定することを特徴とする請求項９に記載の順次走査変換装置。
【発明の詳細な説明】
【技術分野】
【０００１】
本発明は、映像フォーマット変換システムに係り、特にインターレーススキャンフォーマット（ｉｎｔｅｒｌａｃｅｄ ｓｃａｎ ｆｏｒｍａｔ）をプログレッシブスキャンフォーマット（ｐｒｏｇｒｅｓｓｉｖｅ ｓｃａｎ ｆｏｒｍａｔ）に変換する３次元順次走査変換方法及びその装置に関する。
【背景技術】
【０００２】
通常、ＭＰＥＧ−２規格では２つのスキャンフォーマット、すなわち、インターレーススキャンフォーマットとプログレッシブスキャンフォーマットとが存在する。ビデオデコーダだけでなく、エンコーダ（図示せず）では状況によってインターレーススキャンフォーマットのビデオ信号をプログレッシブスキャンフォーマットのビデオ信号に変換する必要がある。この時、そのスキャンフォーマット変換を順次走査変換またはＩＰＣ（Ｉｎｔｅｒｌａｃｅｄ−ｔｏ−ｐｒｏｇｒｅｓｓｉｖｅ ｃｏｎｖｅｒｓｉｏｎ）という。
図１は、従来の３次元順次走査変換方法を示すフローチャートである。
【０００３】
順次走査変換のための全ての動作は普通画素単位で行われる。
例えば、図２に示されたようにｎ番目フィールドの（ｉ，ｊ）位置でＩＰＣするものと仮定する。この時、ｎ番目フィールドの（ｉ，ｊ）位置画素をＹｎ（ｉ，ｊ）と定義する。
【０００４】
まず、ＩＰＣするｎ番目フィールド及び時間的に前後のフィールド（ｎ−１、ｎ＋１）に当たる映像信号が入力される（１１２過程）。
次いで、図２に示されたように（ｎ−１）回目フィールドの画素と（ｎ＋１）回目フィールドの画素間の差値Ｄｍｏｔｉｏｎを計算する（１１４過程）。例えば、画素間の差値Ｄｍｏｔｉｏｎは時間的にＹｎ（ｉ，ｊ）の前後に位置した画素Ｙｎ−１（ｉ，ｊ）とＹｎ＋１（ｉ，ｊ）及びこれらの水平に左右に位置した画素Ｙｎー１（ｉ，ｊ±１）及びＹｎ＋１（ｉ，ｊ±１）を利用して式(2)のように表すことができる。
【０００５】
【数１】
2004215263.tif 000003
【０００６】
次いで、差値Ｄｍｏｔｉｏｎを特定スレショルド値Ｔと比較する（１１６過程）。この時、差値Ｄｍｏｔｉｏｎが特定スレショルド値Ｔより大きければ、Ｙｎ（ｉ，ｊ）は動きがあると見なしてその動き索引値Ｍｎ（ｉ，ｊ）を“１”と決定し（１１８過程）、逆に差値Ｄｍｏｔｉｏｎがスレショルド値Ｔより小さければ、Ｙｎ（ｉ，ｊ）は動きのないと見なしてその動き索引値Ｍｎ（ｉ，ｊ）を“０”と決定する（１２６過程）。
【０００７】
前記のような方式で、ｎ番目フィールド内のＩＰＣされる全ての画素について動き索引値を決定する（１２４過程）。
次いで、ｎ番目フィールド内のＩＰＣされる全ての画素の動き索引値が定められれば、各画素に対して自体の動き索引値、水平に左右に位置した画素の動き索引値及び直前フィールドの画素の動き索引値のうち自身と最も近い画素の２つの動き索引値を利用して最終的にモード値Ｍを決定する（１２６過程）。すなわち、図３に示されたようにＹｎ（ｉ，ｊ）のモード値Ｍは式(3)に計算される。
【０００８】
【数２】
2004215263.tif 000004
【０００９】
ここで、Ｙｎ（ｉ，ｊ）のモード値Ｍが“０”である場合、Ｙｎ（ｉ，ｊ）は停止モードと決定される。また、Ｙｎ（ｉ，ｊ）のモード値Ｍが“０”ではない場合、Ｙｎ（ｉ，ｊ）は動きモードを有する（１２８過程）。
【００１０】
次いで、停止モードと決定されれば、時間的に隣接した２つの画素の平均を利用した時間的補間方式が適用された画素値が出力される（１３２過程）。逆に、動きモードと決定されれば、エッジ方向性を利用した空間的補間方式が適用された画素値が出力される（１３４過程）。
次いで、ｎ番目フィールドのＩＰＣする全ての画素についてＩＰＣ過程が終われば（１３６過程）、次のフィールドに対して同じ作業を行う。
【００１１】
図１のような従来技術の場合、動き索引値を決定するために現在画素と水平に左右に位置した２つの画素を含んでやっと３つの画素の動き情報のみを利用するために十分な動き情報が反映できない。結果的に、従来の技術は動きの多い映像及び動きの少ない映像何れにも強いスレショルド値Ｔが提供できない問題点がある。
【発明の開示】
【発明が解決しようとする課題】
【００１２】
本発明が解決しようとする技術的課題は、２次元低域フィルタリングされた画素値から検出される動き索引値を利用してＩＰＣを行うことによって、動きのある領域だけでなく動きのない領域でも強く動きモードが決定できる順次走査変換方法及びその装置を提供するところにある。
【課題を解決するための手段】
【００１３】
前記の技術的課題を解決するために、本発明はインターレースフォーマットをプログレッシブフォーマットに変換する順次走査変換方法において、（ａ）現在フレーム及び以前フレームの特定画素のそれぞれに対して低域通過フィルタリングする過程と、（ｂ）前記（ａ）過程でフィルタリングされた画素に対する差値とスレショルド値とを比較して現在フィールド内で順次走査変換する各画素及び時空間的に周辺に位置した画素のそれぞれに対する動き索引値を検出する過程と、（ｃ）前記（ｂ）過程で検出された前記動き索引値に基づいて動きモードを決定する過程と、（ｄ）前記（ｃ）過程で決定された動きモードによって空間的補間及び時間的補間を選択的に行う過程を含むことを特徴とする。
【００１４】
前記の他の技術的課題を解決するために、本発明はインターレースフォーマットをプログレッシブフォーマットに変換する順次走査変換装置において、現在フレーム内各画素のエッジ方向を参照して空間的に補間する空間的補間手段と、現在フレームと以前フレーム間の２つの画素を平均する時間的補間手段と、現在フレームの画素と１フレーム遅延された画素についてそれぞれ２次元低域通過フィルタリングし、そのフィルタリングされた画素に対して差値を求め、その差値をスレショルド値と比較してフィールド内画素の動き索引値を検出する動きインデックス検出手段と、前記動きインデックス検出手段で検出された現在フィールドの画素及び過去フィールド及び未来フィールドの周辺画素の動き索引値に基づいて動きモードを決定し、その動きモードによって前記空間的補間手段及び前記時間的補間手段を選択する動きモード決定手段とを含むことを特徴とする。
【発明の効果】
【００１５】
２次元低域フィルタリングされた画素値から検出される動き索引値を利用して順次走査変換を行うことによって、動きのある領域だけでなく動きのない領域でも強く動きモードが決定できる。
【発明を実施するための最良の形態】
【００１６】
以下、図面を参照して本発明の望ましい実施例を説明する。
図４は、本発明による３次元順次走査変換装置を示すブロック図である。
図４を参照すれば、第１、第２フレームメモリ４１０，４１５は入力される映像信号をフレーム単位で貯蔵する。すなわち、第２フレームメモリ４１５は以前フレームのｎ−１回目フィールドＦｎー１とｎ番目フィールドＦｎを貯蔵し、第１フレームメモリ４１０は現在フレームのｎ＋１回目フィールドＦｎ＋１とｎ＋２回目フィールドＦｎ＋２を貯蔵する。したがって、第１フレームメモリ４１０と第２フレームメモリ４１５に貯蔵された映像信号を利用してｎ番目フィールド及びｎ＋１回目フィールドをＩＰＣする。
【００１７】
動き索引値検出部４２０は現在フレームの１画素ｐｍ１と１フレーム遅延された画素ｐｍ２に対してそれぞれ２次元低域通過フィルタリングし、そのフィルタリングされた画素ｃｍ１、ｃｍ２に対する差値Ｄｍｏｔｉｏｎを求め、差値Ｄｍｏｔｉｏｎをスレショルド値Ｔと比較することによって、フィールド内の現在ラインの動き索引値を検出する。
【００１８】
空間補間部４３０はｎ番目フィールドＦｎ及びｎ＋１回目フィールドＦｎ＋１内で各画素位置で検出されたエッジ方向によって空間的補間を行う。
時間補間部４５０は現在フレームと以前フレーム間の画素別平均値を求める。
【００１９】
動きモード決定部４６０は動きインデックス検出部４２０で検出された現在画素及び周辺画素の動き索引値をすべて利用して動きモードを決定し、その動きモードによって画素別に空間補間部４３０の出力と時間補間部４５０の出力とのうち１つを選択する。結局、動きモード決定部４６０はＩＰＣされたｎ番目フィールドＦｎ及びｎ＋１回目フィールドＦｎ＋１の映像信号を出力する。
【００２０】
図５は、図４の動き索引値検出部の詳細図である。
図５を参照すれば、第１ローパスフィルタ５１０は現在フレームＦｎ＋１及びＦｎ＋２の各画素ｐｍ１に対して２次元低域通過フィルタリングを行う。第２ローパスフィルタ５２０は以前フレームＦｎ−１及びＦｎの画素ｐｍ１と空間的に同じ位置の画素ｐｍ２に対して２次元低域通過フィルタリングを行う。この時、第１ローパスフィルタ５１０及び第２ローパスフィルタ５２０は各画素に対して所定の領域内で加重平均画素値を出力する。
【００２１】
差計算部５３０は第１ローパスフィルタ５１０で出力される画素値ｃｍ１と第２ローパスフィルタ５２０とで出力される画素値ｃｍ２間に差値を求める。
絶対値計算部５４０は差計算部５３０で求められた差値に絶対値を取る。
【００２２】
動き索引値決定部５５０は絶対値計算部５４０で計算された差値をスレショルド値と比較して各画素の動き索引値を決定する。すなわち、動き索引値決定部５５０は差計算部５３０で計算された差値がスレショルド値より大きければ、動きがあると見なして該当画素の動きインデックス値を“１”と決定し、その差値がスレショルド値より小さければ、動きがないと見なして該当画素の動き索引値を“０”と決定する。
【００２３】
図６は、本発明による３次元順次走査変換方法を示すフローチャートである。
順次走査変換のための全ての動作は輝度成分の画素単位よりなる。Ｆｎ（ｉ，ｊ）はｎ番目フィールドの（ｉ，ｊ）位置にある画素と定義する。
まず、現在フレームＦｎ＋１及びＦｎ＋２と以前フレームＦｎ−１及びＦｎの映像信号を入力する（６１２過程）。この時、ｎ番目フィールドＦｎのＩＰＣを行う場合を見よう。例えば、ＩＰＣしようとするＦｎ（ｉ，ｊ）と時間的に前後した２つの画素のうちＦｎ＋１（ｉ，ｊ）を第１出力画素ｐｍ１とし、１フレーム遅延されたＦｎ−１（ｉ，ｊ）を第２出力画素ｐｍ２という。
【００２４】
次いで、第１出力画素ｐｍ１及び第２出力画素ｐｍ２はそれぞれ２次元低域通過フィルタリングを通じて第１フィルタ出力値ｃｍ１及び第２フィルタ出力値ｃｍ２に生成される（６１４過程）。例えば、２次元低域通過フィルタリングは現在画素を中心として垂直及び水平に定められたウィンドー領域内の画素について特定フィルタ係数を乗じて平均を求める方式、すなわち、加重平均になりうる。このような低域通過フィルタリングを第１出力画素ｐｍ１及び第２出力画素ｐｍ２に対して行う。ここで第１フィルタ出力値ｃｍ１は式(4)のように表すことができる。
【００２５】
【数３】
2004215263.tif 000005
【００２６】
第２フィルタ出力値ｃｍ２は式(5)のように表すことができる。
【００２７】
【数４】
2004215263.tif 000006
【００２８】
式(4)、(5)で、Ｗｋ,ｌは２次元低域フィルタリングのための所定領域、例えば、３×３領域内でのフィルタ係数である。
【００２９】
次いで、第１フィルタ出力値ｃｍ１と第２フィルタ出力値ｃｍ２との差を求めた後、絶対値を取った差値Ｄｍｏｔｉｏｎを得る（６１６過程）。
次いで、その差値Ｄｍｏｔｉｏｎをスレショルド値Ｔと比較する（６１８過程）。この時、その差値（Ｄｍｏｔｉｏｎ）がスレショルド値Ｔより大きければ、ＩＰＣする画素Ｆｎ（ｉ，ｊ）は動きがあると見なしてその動き索引値Ｍｎ（ｉ，ｊ）を“１”と決定し（６２２過程）、またその差値Ｄｍｏｔｉｏｎがスレショルド値Ｔより小さければ、ＩＰＣする画素Ｆｎ（ｉ，ｊ）は動きがないと見なしてその動き索引値Ｍｎ（ｉ，ｊ）を“０”と決定する（６２４過程）。
【００３０】
こういう方法で、Ｆｎ内のＩＰＣする全ての画素に対して差値Ｄｍｏｔｉｏｎを求め、スレショルド値Ｔと比較することによって、動き索引値を求める（６２６過程）。次いで、Ｆｎ＋１内のＩＰＣする全ての画素に対して６１４過程ないし６２６過程を繰り返す。
【００３１】
次いで、ＦｎとＦｎ＋１内のＩＰＣする全ての画素の動き索引値が定められたと仮定すれば、Ｆｎ及び周辺フィールドの動き索引値を利用してＦｎ内のＩＰＣされる各画素の動きモード値Ｍを決定する（６２８過程）。例えば、本発明のＩＰＣは隣接した２つのフレームをリ―ドした後、 第１フレームのボトムフィールド、第２フレームのトップフィールドをそれぞれライン順に行う。図７を参照すれば、暗い円はトップフィールド画素、白い円はボトムフィールド画素を意味する。便宜上、垂直方向の画素のみを時間軸として図示した。
【００３２】
図７でＩＰＣされるフィールドはＦｎ、Ｆｎ＋１であり、現在ＩＰＣされる画素はＦｎの暗い四角位置（ｉ，ｊ）の画素である。そのＩＰＣされる画素に対する動きモード値Ｍは自体の動き索引値と白い四角位置の動き索引値とを利用して決定される。ここで、過去フィールドＦｎ−２、Ｆｎ−１の動き索引値は何れも特定領域に貯蔵されている。またＩＰＣされるラインの上位ラインの動き索引値も時間的に既に求められた値である。したがって、Ｆｎ（ｉ，ｊ）の動きモード値ＭはＦｎ内の画素の動き索引値のうちＭｎ（ｉ，ｊ）とＭｎ（ｉ，ｊ±１）、Ｆｎ＋１内の画素のうちＦｎ（ｉ，ｊ）と最も近い画素の動き索引値、すなわち、Ｍｎ＋１（ｉ−１、ｊ）とＭｎ＋１（ｉ−１、ｊ±１）、またＦｎ−１内の画素のうち、Ｆｎ（ｉ，ｊ）と最も近い画素の動き索引値、すなわち、Ｍｎ−１（ｉ±１、ｊ）とＭｎ−１（ｉ±１、ｊ±１）、最後にＦｎ−２内の画素のうち、Ｆｎ（ｉ，ｊ）と最も近い画素の動き索引値、すなわち、Ｍｎ−２（ｉ，ｊ）とＭｎ−２（ｉ，ｊ±１）とを共に利用して式(6)のように表現される。
【００３３】
【数５】
2004215263.tif 000007
【００３４】
他の実施例として、動きモード値Ｍは状況によって数式５で使われた１５個の動き索引値のうち一部のみを、あるいは追加的に使用して計算されうる。
ここで、動きモード値Ｍが“０”であれば、Ｆｎ（ｉ，ｊ）は停止モードを有し、動きモード値Ｍが“０”でなければ、Ｆｎ（ｉ，ｊ）は動きモードを有する（６３２過程）。
【００３５】
次いで、停止モードと決定されれば、隣接した２つの画素の平均を利用した時間的補間方式が適用された画素値が出力される（６３６過程）。逆に動きモードと決定されれば、エッジ方向性を利用した空間的補間方式が適用された画素値が出力される（６３４過程）。
【００３６】
こういう方式で、Ｆｎ内のＩＰＣする全ての画素に対して動きモード値Ｍによって時間的補間技法及び空間的補間技法を適応的に行うことによって、最終的に補間される輝度成分の画素値が全て出力される（６３８過程）。Ｆｎ＋１内のＩＰＣする全ての画素に対しても６２８過程から６３８過程を同一に適用する。結局、本発明のＩＰＣ方法は従来技術よりさらに多い動き索引値を使用することによって動きがある領域だけでなく、動きがない領域でも強く動きモードが決定できる。
【００３７】
他の実施例に４：２：０ ＹＵＶ映像信号でＵＶ成分を３次元ＩＰＣする方法を提示する。すなわち、ＵＶ成分の画素についてＹ成分の画素のように動きを検出して空間補間と時間補間とを選択的に使用する。しかし、ＵＶ成分の画素は変化が非常に少ないためにそれ自体の動き索引値を利用した動きモードの決定は誤りが発生できる。したがって、本発明はＹ成分の画素で得られた動きモード値を利用してＵＶ成分の動きモードを決定する。
【００３８】
図８は、４：２：０インターレース映像でＵＶ成分の画素の位置を表す。ここで、円部分はＹ成分、Ｘ部分はＵＶ成分を意味する。
図８で、ｎ番目ボトムフィールドの位置ＡでＵＶ成分の画素を順次走査変換すると仮定する。本発明では位置ＢのＹ成分の動きモード値を位置ＡのＵＶ成分の動きモード値として代わりに使用する。一旦、Ｙ成分のモード値は信頼感があり、位置ＡとＢ間の距離もＵＶ成分基準で非常に短いために（１／４程度）、提案した動きモード決定方法は意味がある。他の位置のＵＶ成分の画素に対するＩＰＣも同じ方式で行う。したがって、ＩＰＣされるＵＶ成分の画素での動きモード値が“０”であれば、時間補間を行い、“０”でなければ、９０°方向の上下隣接した画素の平均値を求める。ＵＶ成分の画素は動きが少ないために、Ｙ成分の画素でのように方向性補間が難しい。またＹ成分の方向値を利用しようとしてもＹ成分の方向とＵＶ成分の方向とが異なる可能性が多いためにＵＶ成分の画素には９０°方向の単純空間的補間を行う。
【００３９】
本発明は前述した実施例に限定されず、本発明の思想内で当業者による変形が可能であることはもちろんである。
本発明はまたコンピュータで読み出せる記録媒体にコンピュータが読み出せるコードとして具現することが可能である。コンピュータが読み出せる記録媒体はコンピュータシステムによって読み出せるデータが貯蔵される全ての種類の記録装置を含む。コンピュータが読み出せる記録媒体の例としては、ＲＯＭ、ＲＡＭ、ＣＤ−ＲＯＭ、磁気テープ、ハードディスク、フロッピー（登録商標）ディスク、フラッシュメモリ、光データ貯蔵装置などがあり、またキャリアウェーブ（例えば、インターネットを通した伝送）の形態で具現されることも含む。またコンピュータが読み出せる記録媒体はネットワークで連結されたコンピュータシステムに分散され、分散方式でコンピュータが読み出せるコードとして貯蔵、実行されうる。
【産業上の利用可能性】
【００４０】
本発明は、映像信号フォーマットの変換に利用される３次元順次走査変換方法及びその装置に係り、一般的にデジタルテレビ、デジタルカムコーダ、ＤＶＤなど映像記録及び再生機器に適用されうる。
【図面の簡単な説明】
【００４１】
【図１】従来の３次元順次走査変換方法を示すフローチャートである。
【図２】従来の動き索引値を決定するための概念図である。
【図３】従来の動きモード値を決定するための概念図である。
【図４】本発明による３次元順次走査変換装置を示すブロック図である。
【図５】図４の動き索引値検出部の詳細図である。
【図６】本発明による３次元順次走査変換方法を示すフローチャートである。
【図７】本発明による動きモード値を決定するために使われる動き索引値を示した図である。
【図８】４：２：０フォーマットで垂直方向にＹＵＶサンプルポイントを示したものである。
【符号の説明】
【００４２】
４１０      フレームメモリ１
４１５      フレームメモリ２
４２０      動き索引値検出部
４３０      空間的補間部
４５０      時間的補間部
４６０      動きモード決定部
５１０      第１ローパスフィルタ
５２０      第２ローパスフィルタ
５３０      差計算部
５４０      絶対値計算部
５５０      動き索引決定部
【図１】
2004215263.tif 000009
【図２】
2004215263.tif 000010
【図３】
2004215263.tif 000011
【図４】
2004215263.tif 000012
【図５】
2004215263.tif 000013
【図６】
2004215263.tif 000014
【図７】
2004215263.tif 000015
【図８】
2004215263.tif 000016